【手続補正書】
【提出日】平成27年11月9日(2015.11.9)
【手続補正１】
【補正対象書類名】特許請求の範囲
【補正対象項目名】全文
【補正方法】変更
【補正の内容】
【特許請求の範囲】
【請求項１】
複数のサンプルを備える画像の少なくとも一部を復号する方法であって、前記サンプルは少なくとも２つのコンポーネントを有し、前記方法は、
少なくとも１つの再構成されたサンプルの第１および第２のコンポーネントを提供するために少なくとも１つの符号化されたサンプルの第１および第２のコンポーネントを復号するステップと、
前記サンプルに対応する少なくとも１つのフィルタリングパラメータを復号するステップと、
前記少なくとも１つの再構成されたサンプルの前記第１のコンポーネントおよび第２のコンポーネントの両方をフィルタリングするための共通のフィルタリングパラメータとして前記少なくとも１つの復号されたフィルタリングパラメータをループフィルタ内で使用して、前記少なくとも１つの再構成されたサンプルをフィルタリングするステップと、
を有する方法。
【請求項２】
前記フィルタリングするステップはサンプル適応オフセットフィルタリングであることを特徴とする請求項１に記載の方法。
【請求項３】
前記第１および第２のコンポーネントはクロマコンポーネントであることを特徴とする請求項１または２に記載の方法。
【請求項４】
前記または１つの前記共通のフィルタリングパラメータは、エッジ−タイプ、バンド−タイプまたはサンプル適応オフセットループフィルタリング無しが、前記少なくとも１つの再構成されたサンプルのために使用されるかどうかを示すサンプル適応オフセットタイプパラメータであることを特徴とする請求項１、２、または３に記載の方法。
【請求項５】
サンプル適応オフセットループフィルタリングのタイプ、およびエッジ−タイプサンプル適応オフセットループフィルタリングの方向は、共通のフィルタリングパラメータであることを特徴とする請求項１、２または３に記載の方法。
【請求項６】
サンプル適応オフセットループフィルタリングの前記タイプに基づいて、条件付きで共通のフィルタリングパラメータとして少なくとも１つの復号されたフィルタリングパラメータを使用するステップを有することを特徴とする請求項４に記載の方法。
【請求項７】
前記サンプル適応オフセットループフィルタリングが第１のタイプである場合に、少なくとも１つの復号されたフィルタリングパラメータが前記第１のタイプの前記フィルタリングするための共通のフィルタリングパラメータとして使用され、サンプル適応オフセットループフィルタリングの前記第１のタイプはエッジ−タイプフィルタリングおよびバンド−タイプフィルタリングの１つであり、さらに、前記サンプル適応オフセットループフィルタリングが、前記第１のタイプとは異なる第２のタイプである場合に、異なる複数の復号されたフィルタリングパラメータが前記第１および第２のコンポーネントをそれぞれフィルタリングするための専用のフィルタリングパラメータとして使用され、サンプル適応オフセットループフィルタリングの前記第２のタイプはエッジ−タイプフィルタリングおよびバンド−タイプフィルタリングの他の一方であることを特徴とする請求項１乃至６のいずれか１項に記載の方法。
【請求項８】
前記サンプル適応オフセットループフィルタリングが第１のタイプである場合に、少なくとも１つの復号された、オフセット以外のフィルタリングパラメータが、前記第１のタイプの前記フィルタリングするための共通のフィルタリングパラメータとして使用され、サンプル適応オフセットループフィルタリングの前記第１のタイプはエッジ−タイプフィルタリングおよびバンド−タイプフィルタリングの１つであり、さらに、前記サンプル適応オフセットループフィルタリングが、前記第１のタイプとは異なる第２のタイプである場合に、異なる複数の復号されたフィルタリングパラメータが前記第１および第２のコンポーネントをそれぞれフィルタリングするための専用のフィルタリングパラメータとして使用され、サンプル適応オフセットループフィルタリングの前記第２のタイプはエッジ−タイプフィルタリングおよびバンド−タイプフィルタリングの他の一方であることを特徴とする請求項１乃至６のいずれか１項に記載の方法。
【請求項９】
前記サンプル適応オフセットループフィルタリングが第１のタイプである場合に、少なくとも１つの復号されたフィルタリングパラメータが前記第１のタイプのフィルタリングのための分類を示すための共通のフィルタリングパラメータとして使用され、サンプル適応オフセットループフィルタリングの前記第１のタイプはエッジ−タイプフィルタリングおよびバンド−タイプフィルタリングの１つであり、さらに、前記サンプル適応オフセットループフィルタリングが、前記第１のタイプとは異なる第２のタイプである場合に、異なる複数の復号されたフィルタリングパラメータは前記第１および第２のコンポーネントをそれぞれフィルタリングするための分類を示すための専用のフィルタリングパラメータとして使用され、サンプル適応オフセットループフィルタリングの前記第２のタイプはエッジ−タイプフィルタリングおよびバンド−タイプフィルタリングの他の一方であることを特徴とする請求項１乃至６のいずれか１項に記載の方法。
【請求項１０】
少なくとも１つの復号されたフィルタリングパラメータは、前記少なくとも１つの再構成されたサンプルの前記第１および第２のコンポーネントの個別の１つをフィルタリングするために専用であることを特徴とする請求項１乃至９のいずれか１項に記載の方法。
【請求項１１】
オフセットは専用のフィルタリングパラメータであることを特徴とする請求項１０に記載の方法。
【請求項１２】
前記または１つの前記フィルタリングパラメータは、所与の再構成されたサンプルのための、別の再構成されたサンプルをフィルタリングするために使用される１つまたは複数のフィルタリングパラメータが前記所与の再構成されたサンプルをフィルタリングするための対応するフィルタリングパラメータを提供するために使用されることを示すフラグであることを特徴とする請求項１乃至１１のいずれか１項に記載の方法。
【請求項１３】
１つの前記フィルタリングパラメータは、前記画像の第１の前記一部分における所与の再構成されたサンプルのための、前記第１の前記一部分とは異なる、前記画像の第２の前記一部分における別の再構成されたサンプルをフィルタリングするために使用される１つまたは複数のフィルタリングパラメータが前記所与の再構成されたサンプルをフィルタリングするための対応するフィルタリングパラメータを提供するために使用されることを示すフラグであることを特徴とする請求項１乃至１２のいずれか１項に記載の方法。
【請求項１４】
１つの前記フィルタリングパラメータは、前記画像の第１の前記一部分における所与の再構成されたサンプルのための、前記第１の前記一部のすぐ左側の、前記画像の第２の前記一部分における別の再構成されたサンプルをフィルタリングするために使用される１つまたは複数のフィルタリングパラメータが前記所与の再構成されたサンプルをフィルタリングするための対応するフィルタリングパラメータを提供するために使用されることを示す左側フラグであり、さらに、別の前記フィルタリングパラメータは、前記所与の再構成されたサンプルのための、前記所与の再構成されたサンプルをフィルタリングするための対応するフィルタリングパラメータを提供するために使用される、前記第１の一部のすぐ上方の、前記画像の第３の前記一部における別の再構成されたサンプルをフィルタリングするために使用される１つまたは複数のフィルタリングパラメータであること指示する上方フラグであることを特徴とする請求項１乃至１３のいずれか１項に記載の方法。
【請求項１５】
プログラム可能な装置のためのコンピュータプログラムであって、前記コンピュータプログラムは前記プログラム可能な装置によりロードされ実行されると、請求項１から２６のいずれか１項に記載の方法の各ステップを実現するための一連の命令を有するコンピュータプログラム。
【請求項１６】
請求項１乃至１４のいずれか１項に記載の方法の各ステップを実現するためのコンピュータプログラムの命令を格納するコンピュータ可読記憶媒体。
【請求項１７】
複数のサンプルを含む画像の少なくとも一部を復号する復号装置であって、前記サンプルは少なくとも２つのコンポーネントを有し、前記復号装置は、
少なくとも１つの再構成されたサンプルの第１および第２のコンポーネントを提供するために、少なくとも１つの符号化されたサンプルの第１および第２のコンポーネントを復号する手段と、
前記サンプルに対応する少なくとも１つのフィルタリングパラメータを復号する手段と、
前記少なくとも１つの再構成されたサンプルの前記第１のコンポーネントおよび第２のコンポーネントの両方をフィルタリングするための共通のフィルタリングパラメータとして、少なくとも１つの復号されたフィルタリングパラメータをループフィルタ内で使用して、前記少なくとも１つの再構成されたサンプルをフィルタリングする手段と、
を有する復号装置。
【請求項１８】
前記フィルタリングはサンプル適応オフセットループフィルタリングであることを特徴とする請求項１７に記載の装置。
【請求項１９】
前記第１および第２のコンポーネントはクロマコンポーネントであることを特徴とする請求項１７または１８に記載の装置。
【請求項２０】
前記または１つの前記共通のフィルタリングパラメータは、エッジ−タイプ、バンド−タイプまたはサンプル適応オフセットループフィルタリング無しが、前記少なくとも１つの再構成されたサンプルのために使用されるかどうかを示すサンプル適応オフセットタイプパラメータであることを特徴とする請求項１７、１８、または１９に記載の装置。
【請求項２１】
サンプル適応オフセットループフィルタリングのタイプ、およびエッジ−タイプサンプル適応オフセットループフィルタリングの方向は、共通のフィルタリングパラメータであることを特徴とする請求項１７、１８または１９に記載の装置。
【請求項２２】
前記フィルタリングする手段は、サンプル適応オフセットループフィルタリングの前記タイプに基づいて、条件付きで共通のフィルタリングパラメータとして少なくとも１つの復号されたフィルタリングパラメータを使用して動作可能であることを特徴とする請求項２０に記載の装置。
【請求項２３】
前記フィルタリングする手段は、前記サンプル適応オフセットループフィルタリングが第１のタイプである場合に、前記第１のタイプをフィルタリングするための共通のフィルタリングパラメータとして少なくとも１つの復号されたフィルタリングパラメータを使用して動作可能であり、サンプル適応オフセットループフィルタリングの前記第１のタイプはエッジ−タイプフィルタリングおよびバンド−タイプフィルタリングの１つであり、さらに、前記サンプル適応オフセットループフィルタリングが、前記第１のタイプとは異なる第２のタイプである場合に、前記第１および第２のコンポーネントをそれぞれフィルタリングするための専用のフィルタリングパラメータとして、異なる複数の復号されたフィルタリングパラメータを使用して動作可能であり、サンプル適応オフセットループフィルタリングの前記第２のタイプはエッジ−タイプフィルタリングおよびバンド−タイプフィルタリングの他の一方であることを特徴とする請求項１７乃至２２のいずれか１項に記載の装置。
【請求項２４】
前記フィルタリングする手段は、前記サンプル適応オフセットループフィルタリングが第１のタイプである場合に、前記第１のタイプをフィルタリングするための共通のフィルタリングパラメータとして少なくとも１つの復号された、オフセット以外のフィルタリングパラメータを使用して動作可能であり、サンプル適応オフセットループフィルタリングの前記第１のタイプはエッジ−タイプフィルタリングおよびバンド−タイプフィルタリングの１つであり、さらに、前記サンプル適応オフセットループフィルタリングが、前記第１のタイプとは異なる第２のタイプである場合に、前記第１および第２のコンポーネントをそれぞれフィルタリングするための専用フィルタリングパラメータとして、異なる複数の復号されたフィルタリングパラメータを使用して動作可能であり、サンプル適応オフセットループフィルタリングの前記第２のタイプはエッジ−タイプフィルタリングおよびバンド−タイプフィルタリングの他の一方であることを特徴とする請求項１７乃至２２のいずれか１項に記載の装置。
【請求項２５】
前記フィルタリングする手段は、前記サンプル適応オフセットループフィルタリングが第１のタイプである場合に、前記第１のタイプをフィルタリングするための分類を示すための共通のフィルタリングパラメータとして少なくとも１つの復号されたフィルタリングパラメータを使用して動作可能であり、サンプル適応オフセットループフィルタリングの前記第１のタイプはエッジ−タイプフィルタリングおよびバンド−タイプフィルタリングの１つであり、さらに、前記サンプル適応オフセットループフィルタリングが、前記第１のタイプとは異なる第２のタイプである場合に、前記第１および第２のコンポーネントをそれぞれフィルタリングするための分類を指示するための専用のフィルタリングパラメータとして、異なる複数の復号されたフィルタリングパラメータを使用して動作可能であり、サンプル適応オフセットループフィルタリングの前記第２のタイプはエッジ−タイプフィルタリングおよびバンド−タイプフィルタリングの他の一方であることを特徴とする請求項１７乃至２４のいずれか１項に記載の装置。
【請求項２６】
少なくとも１つの復号されたフィルタリングパラメータは、前記少なくとも１つの再構成されたサンプルの前記第１および第２のコンポーネントの個別の１つをフィルタリングするために専用であることを特徴とする請求項１７乃至２５のいずれか１項に記載の装置。
【請求項２７】
オフセットは専用のフィルタリングパラメータであることを特徴とする請求項２６に記載の装置。
【請求項２８】
前記または１つの前記フィルタリングパラメータは、所与の再構成されたサンプルのための、別の再構成されたサンプルをフィルタリングするために使用される１つまたは複数のフィルタリングパラメータが前記所与の再構成されたサンプルをフィルタリングするための対応するフィルタリングパラメータを提供するために使用されることを示すフラグであることを特徴とする請求項１７乃至２７のいずれか１項に記載の装置。
【請求項２９】
１つの前記フィルタリングパラメータは、前記画像の第１の前記一部における所与の再構成されたサンプルのための、前記第１の前記一部とは異なる、前記画像の第２の前記一部における別の再構成されたサンプルをフィルタリングするために使用される１つまたは複数のフィルタリングパラメータが前記所与の再構成されたサンプルをフィルタリングするための対応するフィルタリングパラメータを提供するために使用されることを示すフラグであることを特徴とする請求項１７乃至２８のいずれか１項に記載の装置。
【請求項３０】
１つの前記フィルタリングパラメータは、前記画像の第１の前記一部分における所与の再構成されたサンプルのための、前記第１の前記一部のすぐ左側の、前記画像の第２の前記一部分において別の再構成されたサンプルをフィルタリングするために使用される１つまたは複数のフィルタリングパラメータが前記所与の再構成されたサンプルをフィルタリングするための対応するフィルタリングパラメータを提供するために使用されることを示す左側フラグであり、さらに、別の前記フィルタリングパラメータは、前記所与の再構成されたサンプルのための、前記第１の一部のすぐ上方の、前記画像の第３の前記一部において別の再構成されたサンプルをフィルタリングするために使用される１つまたは複数のフィルタリングパラメータが前記所与の再構成されたサンプルをフィルタリングするための対応するフィルタリングパラメータを提供するために使用されることを示す上方フラグであることを特徴とする請求項１７乃至２９のいずれか１項に記載の装置。
【手続補正２】
【補正対象書類名】明細書
【補正対象項目名】００５８
【補正方法】変更
【補正の内容】
【００５８】
上述課題を解決するため、本発明の画像復号方法は以下の構成を有する。即ち、複数のサンプルを備える画像の少なくとも一部を復号する方法であって、前記サンプルは少なくとも２つのコンポーネントを有し、前記方法は、少なくとも１つの再構成されたサンプルの第１および第２のコンポーネントを提供するために少なくとも１つの符号化されたサンプルの第１および第２のコンポーネントを復号するステップと、前記サンプルに対応する少なくとも１つのフィルタリングパラメータを復号するステップと、前記少なくとも１つの再構成されたサンプルの前記第１のコンポーネントおよび第２のコンポーネントの両方をフィルタリングするための共通のフィルタリングパラメータとして前記少なくとも１つの復号されたフィルタリングパラメータをループフィルタ内で使用して、前記少なくとも１つの再構成されたサンプルをフィルタリングするステップと、を有する。
【手続補正３】
【補正対象書類名】明細書
【補正対象項目名】００６０
【補正方法】削除
【補正の内容】
【手続補正４】
【補正対象書類名】明細書
【補正対象項目名】００６１
【補正方法】削除
【補正の内容】
【手続補正５】
【補正対象書類名】明細書
【補正対象項目名】００６２
【補正方法】削除
【補正の内容】
【手続補正６】
【補正対象書類名】明細書
【補正対象項目名】００６３
【補正方法】削除
【補正の内容】
【手続補正７】
【補正対象書類名】明細書
【補正対象項目名】００６４
【補正方法】削除
【補正の内容】
【手続補正８】
【補正対象書類名】明細書
【補正対象項目名】００６５
【補正方法】削除
【補正の内容】
【手続補正９】
【補正対象書類名】明細書
【補正対象項目名】００６６
【補正方法】削除
【補正の内容】